(57)【要約】【課題】端子極性を逆接続したときに半導体素子を用いた電流制御部に異常な電流が流れることを防止するための手段としてダイオードを用いた場合に、放電電流が流れた際の電圧降下の影響のない蓄電池診断用測定装置及び蓄電池診断用測定方法を提供する。【解決手段】蓄電池診断用測定装置１０は、被診断蓄電池の端子間に接続され、当該被診断蓄電池から放電される電流を制御可能な電流制御部１１と、被診断蓄電池の端子電圧を検出する電圧検出部１５と、電流制御部１１を制御して、被診断蓄電池から診断に必要な電流を所定時間放電し、電圧検出部１５で検出した被診断蓄電池の端子電圧の変化を測定する主制御部１６と、ダイオードを含んで構成され、電流制御部と直列に接続された整流部１３と、整流部１３と直列に接続された電圧補償部１４と、を備え、電圧補償部１４は、ダイオードの順方向降下電圧と同等ないしそれ以上の電圧で充電された電圧補償用蓄電池から成る。【選択図】      図１
2017009422.tif 000002
【特許請求の範囲】
【請求項１】
被診断蓄電池の端子間に接続され、当該被診断蓄電池から放電される電流を制御可能な電流制御部と、
前記被診断蓄電池の端子電圧を検出する電圧検出部と、
前記電流制御部を制御して、前記被診断蓄電池から診断に必要な電流を所定時間放電し、少なくとも当該放電時に、前記被診断蓄電池の診断に必要な情報として、前記電圧検出部で検出した前記被診断蓄電池の端子電圧の変化を測定する主制御部と、
ダイオードを含んで構成され、前記電流制御部と直列に接続された整流部と、
前記整流部と直列に接続された電圧補償部と、を備え、
前記電圧補償部は、
前記ダイオードの順方向降下電圧と同等ないしそれ以上の電圧で充電された電圧補償用蓄電池から成る、ことを特徴とする蓄電池診断用測定装置。
【請求項２】
前記電圧補償用蓄電池は、少なくとも、前記ダイオードの前記順方向降下電圧を含む前記蓄電池診断用測定装置の回路抵抗による降下電圧を補償する電圧と同等ないしそれ以上の電圧で充電される、ことを特徴とする請求項１に記載の蓄電池診断用測定装置。
【請求項３】
被診断蓄電池の端子間に接続され、当該被診断蓄電池から放電される電流を制御可能な電流制御部と、
前記被診断蓄電池の端子電圧を検出する電圧検出部と、
前記電流制御部を制御して、前記被診断蓄電池から診断に必要な電流を所定時間放電し、少なくとも当該放電時に、前記被診断蓄電池の診断に必要な情報として、前記電圧検出部で検出した前記被診断蓄電池の端子電圧の変化を測定する主制御部と、
ダイオードを含んで構成され、前記電流制御部と直列に接続された整流部と、
前記整流部と直列に接続された電圧補償部と、を備え、
前記電圧補償部は、
前記ダイオードの順方向降下電圧と同等ないしそれ以上の電圧で充電された、電気二重層キャパシタ、又は該電気二重層キャパシタと電圧補償用蓄電池とを並列接続した電圧補償回路から成る、ことを特徴とする蓄電池診断用測定装置。
【請求項４】
前記電圧補償部は、定電圧制御を行うことなく電圧を補償する、ことを特徴とする請求項１から３のいずれか１項に記載の蓄電池診断用測定装置。
【請求項５】
被診断蓄電池からダイオードを含んで構成される整流部を介して診断に必要な診断電流を所定時間放電するに際し、前記整流部で発生する順方向降下電圧と同等ないしそれ以上の電圧で充電された電圧補償用蓄電池により、前記順方向降下電圧を補償しながら前記診断電流を放電し、
少なくとも当該放電時に、前記被診断蓄電池の診断に必要な情報として、前記被診断蓄電池の端子電圧の変化を測定することを特徴とする蓄電池診断用測定方法。
【発明の詳細な説明】
【技術分野】
【０００１】
本発明は、無停電電源（ＵＰＳ）や非常用バックアップ電源等に使用される蓄電池の劣化を診断するための蓄電池診断用測定装置及び蓄電池診断用測定方法に関する。
【背景技術】
【０００２】
従来、蓄電池の劣化を診断する診断装置として、例えば特許文献１に記載の技術がある。この技術は、半導体素子を用いた電流制御部を蓄電池の端子間に接続し、当該電流制御部で診断に必要な一定電流を出力しつつ短時間の放電を行い、そのときの蓄電池の端子電圧の変化から蓄電池の状況を把握するものである。ここでは、診断装置の極性を誤って蓄電池に接続してしまったときに、電流制御部に異常な電流が流れることを防止するために、回路中に機械的な接点を有する断路器を挿入し、正規な接続であることを検出した後に当該断路器をオンし、診断を開始するようにしている。
また、別の診断装置としては、例えば特許文献２に記載の技術がある。この技術は、診断装置を逆接続したときの異常電流の発生を防止するために、回路中に逆電流防止用のダイオードを挿入したものである。
さらに、診断装置を逆接続したときにも診断することができる装置としては、例えば特許文献３に記載の技術がある。この技術は、電流制御部を構成する半導体素子を追加し、２個の半導体素子を直列に逆向きに設ける構成としたものである。
【先行技術文献】
【特許文献】
【０００３】
【特許文献１】特許第３２１３９１０号公報
【特許文献２】特開２００４−１４４６２１号公報
【特許文献３】特許第４３７２６２４号公報
【発明の概要】
【発明が解決しようとする課題】
【０００４】
しかしながら、上記特許文献１に記載の技術にあっては、機械的な接点を持つ断路器を用いるため、装置の大型化、接点の信頼性低下、断路器の駆動用電力をまかなうための電源容量増大などの問題がある。
また、上記特許文献２に記載の技術にあっては、逆電流防止用のダイオードに電流が流れたときに順方向降下電圧が発生するため、特に、被診断蓄電池の端子電圧が当該順方向降下電圧相当といった低い場合には、電流制御部に対して制御に十分な電圧を印加することができず、診断に必要な電流を適切に流すことができない。
さらに、上記特許文献３に記載の技術にあっては、電流制御部を構成する半導体素子の数が増すため、電流制御部の駆動が複雑化し、装置が大型化する。
そこで、本発明は、端子極性を逆接続したときに半導体素子を用いた電流制御部に異常な電流が流れることを防止するための手段としてダイオードを用いた場合に、放電電流が流れた際の電圧降下の影響のない蓄電池診断用測定装置及び蓄電池診断用測定方法を提供することを課題としている。
【課題を解決するための手段】
【０００５】
上記課題を解決するために、本発明に係る蓄電池診断用測定装置の一態様は、被診断蓄電池の端子間に接続され、当該被診断蓄電池から放電される電流を制御可能な電流制御部と、
前記被診断蓄電池の端子電圧を検出する電圧検出部と、前記電流制御部を制御して、前記被診断蓄電池から診断に必要な電流を所定時間放電し、少なくとも当該放電時に、前記被診断蓄電池の診断に必要な情報として、前記電圧検出部で検出した前記被診断蓄電池の端子電圧の変化を測定する主制御部と、ダイオードを含んで構成され、前記電流制御部と直列に接続された整流部と、前記整流部と直列に接続された電圧補償部と、を備え、前記電圧補償部は、前記ダイオードの順方向降下電圧と同等ないしそれ以上の電圧で充電された電圧補償用蓄電池から成る。
【０００６】
このように、ダイオードを含んで構成された整流部を備えるため、仮に被診断蓄電池に測定装置を逆接続しても、電流制御部の半導体素子が持つ寄生ダイオードを通って制御できない電流が流れることを防止することができる。また、逆接続時における異常電流の発生を防止する手段として、従来装置のような機械的接点を有する断路器等を使用しないため、装置の小型化、接点の信頼性向上、駆動用電力をまかなうための電源容量縮小等の利点がある。
【０００７】
さらに、整流部を構成するダイオードの順方向降下電圧を補償する電圧補償部を備えるため、特に、被診断蓄電池の端子電圧が当該順方向降下電圧相当といった低い場合であっても、電流制御部に対して制御に十分な電圧を印加することができる。そのため、診断に必要な電流を適切に流すことができ、高精度な測定が可能となる。
また、整流部の作用により、一方向にのみ診断電流を流す構成とすることができるため、従来装置のように、２つの半導体素子を直列に逆向きに接続する必要がなくなり、電流制御部を構成する部品点数を削減することができる。そのため、その分電流制御部の駆動を簡略化することができると共に、装置の小型化を実現することができる。
【０００８】
また、前記電圧補償部は、前記ダイオードの順方向降下電圧と同等ないしそれ以上の電圧で充電された電圧補償用蓄電池から成る。
このように、電圧補償用蓄電池にダイオードの順方向降下電圧分に相当する電圧を充電しておけば、特に、被診断蓄電池の端子電圧が当該順方向降下電圧相当といった低い場合であっても、電流制御部に対して制御に十分な電圧を確実に印加することができる。また、比較的簡易な構成で電圧補償部を実現することができる。
【０００９】
また、電圧補償用蓄電池には、ダイオードの順方向降下電圧と同等ないしそれ以上の電圧が予め充電されている。このため、既知であるダイオードの順方向降下電圧と同等ないしそれ以上の所定電圧で予め電圧補償用蓄電池を充電しておき、この電圧で放電することで、放電期間中に亘り被診断蓄電池の端子電圧の変化に関わりなく、確実な電圧補償を簡易な構成で実現することができる。
すなわち、電圧補償部を例えば定電圧制御回路等の制御回路で構成した場合にあっては、電圧補償のために複雑な制御を実行しなければならず、さらに、この定電圧制御回路に使用される半導体部品は大電流を制御する必要があるため装置を大型化し高価格としてしまう。
これに対して、本発明のある態様によれば、電圧補償部を電圧補償用蓄電池で構成するので、定電圧制御に由来する複雑な制御は必要なく、装置の小型化や製造コストの低減が実現できる。
【００１０】
さらに、上記の蓄電池診断用測定装置において、前記整流部が、１個の逆阻止ダイオードによって構成されており、前記電圧補償部が、少なくとも前記逆阻止ダイオードの順方向降下電圧分と同等の電圧を補償するものであってもよい。
これにより、簡易な構成で、被診断蓄電池に測定装置を逆接続したときに電流制御部に異常な電流が流れる課題を解決することができる。また、整流部に診断電流を流すことで発生する順方向降下電圧分を確実に補償することができる。
【００１１】
さらに、上記の蓄電池診断用測定装置において、前記整流部が、４個のダイオードをブリッジ状に接続したブリッジダイオードによって構成されており、前記電圧補償部が、前記４個のダイオードのうち、少なくとも前記放電時に電流が流れる２個のダイオードの順方向降下電圧分と同等の電圧を補償するものであってもよい。
このように、整流部をブリッジダイオードで構成することで、測定装置の接続端子の極性にかかわらず、電流制御部には同じ極性で電圧を印加することができる。すなわち、測定装置の接続端子の極性にかかわらず、被診断蓄電池の診断に必要な情報を測定することができる。また、ブリッジ構成したダイオードに診断電流を流すことで発生する順方向降下電圧分を確実に補償することができる。
【００１２】
さらに、上記の蓄電池診断用測定装置において、前記電圧補償用蓄電池は、少なくとも、前記ダイオードの前記順方向降下電圧及び前記蓄電池診断用測定装置の回路抵抗による降下電圧を補償する電圧と同等ないしそれ以上の電圧で充電される、ものであってもよい。これにより、被診断蓄電池の端子電圧が低い場合であっても、電流制御部に対して制御に必要な電圧が印加された状態にすることができる。そのため、診断に必要な電流を適切に流すことができ、高精度な測定が可能となる。
また、前記電圧補償部は、蓄電池診断用測定装置の回路中に存在する電気抵抗、例えば蓄電池診断用測定装置内における電圧補償部との接続線の抵抗、によって降下する電圧などについても補償してよい。このため、当該接続線を細くしたり、長くすることによって、前記蓄電池診断用測定装置の回路中に存在する抵抗値が増大しても、電流制御部に対して制御に必要な電圧を印加することが可能となる。これにより、診断に必要な電流を適切に流すことができ、高精度な測定が可能となるとともに、装置の小型化、軽量化も実現できる。
【００１３】
同様に、上記電圧補償部は、蓄電池診断用測定装置と被診断蓄電池とを接続するプローブ部の導体線の抵抗値や端子への接続抵抗などによって降下する電圧分についても補償してもよい。このため、当該プローブ部の導体線を細くしたり、長くすることによって、前記蓄電池診断用測定装置の接続端子と前記被診断蓄電池の正極または負極の端子間の抵抗値が増大しても、電流制御部に対して制御に必要な電圧を印加することができる。これにより、診断に必要な電流を適切に流すことができ、高精度な測定が可能となるとともに、診断時に作業者が操作するプローブの小型化、軽量化が図られる。さらに、プローブ部の長尺化も可能となるため、蓄電池診断用測定装置を被診断蓄電池と離れた場所に設置することができるようになる。これにより、蓄電池診断用測定装置を抱えた形で測定する必要がなくなる。また、蓄電池診断用測定装置全体を測定箇所に運びいれる必要はなく、蓄電池診断用測定装置と被診断蓄電池とを接続するプローブ部分のみを作業場所に運びいれることによって測定ができるようになるため、狭矮な場所での作業性が飛躍的に向上する。
【００１４】
また、本発明に係る蓄電池診断用測定装置の他の一態様は、被診断蓄電池の端子間に接続され、当該被診断蓄電池から放電される電流を制御可能な電流制御部と、前記被診断蓄電池の端子電圧を検出する電圧検出部と、前記電流制御部を制御して、前記被診断蓄電池から診断に必要な電流を所定時間放電し、少なくとも当該放電時に、前記被診断蓄電池の診断に必要な情報として、前記電圧検出部で検出した前記被診断蓄電池の端子電圧の変化を測定する主制御部と、ダイオードを含んで構成され、前記電流制御部と直列に接続された整流部と、前記整流部と直列に接続された電圧補償部と、を備え、前記電圧補償部は、
前記ダイオードの順方向降下電圧と同等ないしそれ以上の電圧で充電された、電気二重層キャパシタ、又は該電気二重層キャパシタと電圧補償用蓄電池とを並列接続した電圧補償回路から成る。
このように、電圧補償部を、ダイオードの順方向降下電圧以上の電圧で充電された、電気二重層キャパシタ、又は該電気二重層キャパシタと電圧補償用蓄電池とを並列接続した電圧補償回路で構成すれば、上記の作用効果の他、さらに部品が本来備える特性で放電動作を行うことができるため、比較的簡易な構成で電圧補償部を実現することができ、また、安定的な電圧補償のため複雑な制御を行う必要がない。  
【００１５】
また、上記の蓄電池診断用測定装置において、電圧補償部は、定電圧制御を行うことなく前記順方向降下電圧を補償している。これにより、定電圧制御を行わないことによって、定電圧制御回路等の制御回路を設けて電圧補償のために複雑な制御を実行することが不要となる。また、簡易な構成で短時間に大電流放電が可能となる。
すなわち、電圧補償部を例えば定電圧制御回路等の制御回路で構成した場合にあっては、電圧補償のために複雑な制御を実行しなければならず、さらに、この定電圧制御回路に使用される半導体部品は大電流を制御する必要があるため装置を大型化し高価格としてしまう。
これに対して、本発明のある態様によれば、定電圧制御をおこなわないので、定電圧制御に由来する複雑な制御は必要なく、装置の小型化や製造コストの低減が実現できる。
【００１６】
さらに、本発明に係る蓄電池診断用測定方法の一態様は、被診断蓄電池からダイオードを含んで構成される整流部を介して診断に必要な診断電流を所定時間放電するに際し、前記整流部で発生する順方向降下電圧と同等ないしそれ以上の電圧で充電された電圧補償用蓄電池により、少なくとも前記順方向降下電圧を補償しながら前記診断電流を放電し、少なくとも当該放電時に、前記被診断蓄電池の診断に必要な情報として、前記被診断蓄電池の端子電圧の変化を測定する。
これにより、端子極性を逆接続したときに半導体素子を用いた電流制御部に異常な電流が流れることを防止するための手段としてダイオードを用いた場合に、放電電流が流れた際の電圧降下の影響が発生することなく、適切に被診断蓄電池の診断に必要な情報を測定することができる。
【発明の効果】
【００１７】
本発明の蓄電池診断用測定装置では、ダイオードを含んで構成される整流部を備えるため、簡便且つ安価な構成で、被診断蓄電池に測定装置を逆接続したときに電流制御部に異常な電流が流れることを防止することができる。また、当該整流部で発生する順方向降下電圧を補償する電圧補償部を備えるため、特に、被診断蓄電池の端子電圧が上記順方向降下電圧相当といった低い場合でも、放電電流が流れた際の電圧降下の影響なく適切に被診断蓄電池を診断するための情報を測定することができる。さらには、上記電圧補償部において、上記順方向降下電圧を補償するだけでなく、測定装置の回路抵抗や、被診断蓄電池と測定装置を接続するプローブ部の導体線の抵抗や端子への接続部分の接触抵抗に起因して放電電流が流れた際に降下する電圧も補償するため、放電電流が流れた際の素子や測定回路等による電圧降下の影響なく適切に被診断蓄電池を診断するために必要な情報を測定することができる。さらに、定電圧制御を行わないことによって、定電圧制御回路等の制御回路を設けて電圧補償のために複雑な制御を実行することが不要となる。また、簡易な構成で短時間に大電流放電が可能となる。
【図面の簡単な説明】
【００１８】
【図１】第１の実施形態の蓄電池診断装置（蓄電池診断用測定装置）の構成を示すブロック図である。
【図２】第１の実施形態における電流制御部の一例を示す図である。
【図３】第１の実施形態における主制御部で実行する診断処理手順を示すフローチャートである。
【図４】診断時における端子電圧及び放電電流の時間的推移の一例を示す図である。
【図５】第２の実施形態の蓄電池診断装置を示すブロック図である。
【図６】第２の実施形態における主制御部で実行する診断処理手順を示すフローチャートである。
【図７】第３の実施形態の蓄電池診断装置（蓄電池診断用測定装置）の構成を示すブロック図である。
【図８】第４の実施形態の蓄電池診断装置（蓄電池診断用測定装置）の構成を示すブロック図である。
【発明を実施するための形態】
【００１９】
以下、本発明の実施形態を図面に基づいて説明する。
（第１の実施形態）
図１は、本実施形態の蓄電池診断装置（蓄電池診断用測定装置）１０の構成を示すブロック図である。
蓄電池診断装置１０は、無停電電源（ＵＰＳ）や非常用バックアップ電源等に使用される被診断蓄電池２０の劣化を診断するための装置である。
この蓄電池診断装置１０は、接続端子１０ａ〜１０ｄを備える。蓄電池診断装置１０は、接続端子１０ａ及び１０ｃが被診断蓄電池２０の正極端子２１に、接続端子１０ｂ及び１０ｄが被診断蓄電池２０の負極端子２２にそれぞれ鰐口クリップ等で接続されることで、被診断蓄電池２０の診断が可能となる。
【００２０】
蓄電池診断装置１０は、電流制御部１１、電流検出部１２、整流部１３、電圧補償用蓄電池１４、電圧検出部１５、主制御部１６を備える。
蓄電池診断装置１０は、接続端子１０ａを正極端子２１に接続し、接続端子１０ｂを負極端子２２に接続することで閉回路Ａを形成する。電流制御部１１、電流検出部１２、整流部１３及び電圧補償用蓄電池１４は、当該閉回路Ａに直列に接続される。
また、接続端子１０ｃを正極端子２１に接続し、接続端子１０ｄを負極端子２２に接続することで、電圧検出部１５は、閉回路Ａに並列に接続される。
【００２１】
電流制御部１１は、主制御部１６からの制御信号を受け、被診断蓄電池２０の診断に必要な放電電流を制御する。この電流制御部１１は、例えば、図２に示すように、ＭＯＳＦＥＴ等の半導体素子で構成されており、主制御部１６からゲートに電圧が印加されることで被診断蓄電池２０から放電される電流を制御可能となっている。
電流検出部１２は、閉回路Ａに流れる放電電流を検出し、その電流検出値を主制御部１６へ出力する。
整流部１３は、逆阻止ダイオードを閉回路Ａに直列に接続した構成を有する。当該逆阻止ダイオードのアノードは正極端子２１との接続端子１０ａ側に、カソードは電流制御部１１側に接続されている。これにより、被診断蓄電池２０の正負を間違えて蓄電池診断装置１０を逆接続してしまった際に、電流制御部１１を構成するＭＯＳＦＥＴが持つ寄生ダイオードを通して制御されない電流が流れることを防止する。
【００２２】
電圧補償用蓄電池１４は、正極端子１４ａを整流部１３側に、負極端子１４ｂを接続端子１０ａ側に接続する。この電圧補償用蓄電池１４は、診断電流が整流部１３を構成する逆阻止ダイオードを流れるときに発生する順方向降下電圧を補償する電圧補償部であり、当該順方向降下電圧と同等かそれ以上の電圧で充電しておくものとする。
ダイオードで発生する順方向降下電圧は、シリコン系ダイオードで１．５Ｖ程度、ショットキーバリア系ダイオードで０．６Ｖ程度である。そのため、電圧補償用蓄電池１４の充電電圧は１．５Ｖ以上とし、ここでは、例えば２Ｖ程度とする。
電圧検出部１５は、被診断蓄電池２０の端子電圧を検出し、その電圧検出値を主制御部１６へ出力する。
【００２３】
主制御部１６は、電流制御部１１に対して制御信号を出力し、予め設定した放電時間Ｔ１の間、当該電流制御部１１を導通し、閉回路Ａに放電電流を出力する。ここで、放電時間Ｔ１は０．５秒〜１．５秒程度であり、ここでは例えば０．５秒とする。
このとき、主制御部１６は、電流検出部１２から取得した電流検出値をフィードバックし、上記放電電流が予め設定した診断電流値となるように電流制御部１１を制御する。
また、主制御部１６は、放電開始から予め設定した測定時間Ｔ２（＞Ｔ１）の間、電圧検出部１５が検出した電圧検出値を取得する。そして、主制御部１６は、当該測定時間Ｔ２の間に取得した放電時の電圧検出値、及び放電終了後の回復時の電圧検出値をもとに、被診断蓄電池２０の劣化を診断する。
【００２４】
以下、主制御部１６が実行する被診断蓄電池２０の診断処理について、具体的に説明する。
図３は、主制御部１６で実行する診断処理手順を示すフローチャートである。主制御部１６は、蓄電池診断装置１０の電源が投入されることで当該診断処理を開始する。
先ずステップＳ１で、主制御部１６は、被診断蓄電池２０の診断処理に用いる各種パラメータを初期化する。具体的には、電流制御部１１に対して出力する制御信号を、電流制御部１１の出力が零となる値に設定すると共に、被診断蓄電池２０の放電を開始してから当該放電を終了するまでの期間（放電期間）Ｔ１、及び被診断蓄電池２０の放電を開始してから端子電圧の測定を終了するまでの期間（測定期間）Ｔ２を計測するためのカウント値Ｎを零とする。
【００２５】
次にステップＳ２では、主制御部１６は、被診断蓄電池２０の診断に必要な電流値である診断電流値Ｉａを設定する。ここで、診断電流値Ｉａは、予め設定された固定値としてもよいし、蓄電池診断装置１０の操作者が所定の操作部（例えば、テンキーパッド等）から入力した値を取得して設定してもよい。
次にステップＳ３では、主制御部１６は、蓄電池診断装置１０が被診断蓄電池２０に接続されたか否かを判定する。例えば、主制御部１６は、操作者が蓄電池診断装置１０に設けられた準備完了確認用ボタンを押したことを検知することで、蓄電池診断装置１０が被診断蓄電池２０に接続されたと判断する。そして、主制御部１６は、蓄電池診断装置１０が被診断蓄電池２０に接続されたと判断するまで待機し、蓄電池診断装置１０が被診断蓄電池２０に接続されたと判断するとステップＳ４に移行する。
【００２６】
ステップＳ４では、主制御部１６は、電圧検出部１５から電圧検出値を取得してステップＳ５に移行する。
ステップＳ５では、主制御部１６は、前記ステップＳ４で取得した電圧検出値に基づいて端子間の極性及び電圧範囲を確認し、蓄電池診断装置１０の接続端子１０ａ〜１０ｄがそれぞれ正常に接続されているか否かを判定する。ここでは、主制御部１６は、前記ステップＳ４で取得した電圧検出値がプラスの値であるとき、端子接続が正常であると判断し、前記ステップＳ４で取得した電圧検出値がマイナスの値であるとき、端子接続が正常ではないと判断する。
【００２７】
そして、主制御部１６は、端子接続が正常ではないと判断した場合にはステップＳ６に移行し、端子接続が正常であると判断した場合にはステップＳ７に移行する。
ステップＳ６では、主制御部１６は、アラームを発することで操作者に端子接続が正常ではないことを報知し、蓄電池診断装置１０の再接続を促してから前記ステップＳ３に移行する。なお、端子接続が正常ではないことを報知する手段としては、アラームに限定されるものではなく、音声案内やモニタ表示等を用いてもよい。
ステップＳ７では、主制御部１６は、被診断蓄電池２０の診断を開始する準備が完了したと判断し、例えばこれをモニタ等（不図示）に表示する。
【００２８】
次にステップＳ８では、主制御部１６は、電流制御部１１に対して制御信号を出力し、電流制御部１１の半導体導通を開始する。このとき、主制御部１６は、電流検出部１２から電流検出値を取得し、被診断蓄電池２０から前記ステップＳ２で設定した診断電流値Ｉａに相当する電流が流れるように電流制御部１１をフィードバック制御する。また、主制御部１６は、このステップＳ８で、放電時間Ｔ１及び測定時間Ｔ２を測定するためのカウント値Ｎのカウントを開始する。
次にステップＳ９では、主制御部１６は、電圧検出部１５から電圧検出値を取得すると共に、電流検出部１２から電流検出値を取得し、これらをメモリ（不図示）に記憶する。
【００２９】
ステップＳ１０では、主制御部１６は、電流制御部１１で電流導通を開始してから予め設定した放電時間Ｔ１が経過したか否かを判定する。すなわち、主制御部１６は、カウント値Ｎが放電時間Ｔ１に相当する値に達したか否かを判定する。そして、カウント値Ｎが放電時間Ｔ１に相当する値に達していない場合には、放電を開始してから放電時間Ｔ１が経過していないと判断して前記ステップＳ９に移行し、カウント値Ｎが放電時間Ｔ１に相当する値に達している場合には、放電を開始してから放電時間Ｔ１が経過しており、放電を終了するものと判断してステップＳ１１に移行する。
ステップＳ１１では、主制御部１６は、電流制御部１１に対して半導体導通を終了するための制御信号を出力し、放電を終了する。
【００３０】
次にステップＳ１２では、主制御部１６は、電圧検出部１５から電圧検出値を取得すると共に、電流検出部１２から電流検出値を取得し、これらをメモリ（不図示）に記憶する。
ステップＳ１３では、主制御部１６は、電流制御部１１で電流導通を開始してから予め設定した測定時間Ｔ２が経過したか否かを判定する。すなわち、主制御部１６は、カウント値Ｎが測定時間Ｔ２に相当する値に達したか否かを判定する。そして、カウント値Ｎが測定時間Ｔ２に相当する値に達していない場合には、放電を開始してから測定時間Ｔ２が経過していないと判断して前記ステップＳ１２に移行し、カウント値Ｎが測定時間Ｔ２に相当する値に達している場合には、放電を開始してから測定時間Ｔ２が経過しており、端子電圧及び放電電流の測定を終了するものと判断してステップＳ１４に移行する。
【００３１】
ステップＳ１４では、主制御部１６は、前記ステップＳ９及びＳ１２でメモリに記憶した電圧検出値及び電流検出値に基づいて、被診断蓄電池２０の劣化を診断する。
図４は、被診断蓄電池２０の端子電圧と放電電流との時間的推移の一例を示す図である。この図４において、時刻ｔ１は放電を開始した時刻、時刻ｔ２は放電を終了した時刻、時刻ｔ３は測定を終了した時刻である。すなわち、時刻ｔ１から時刻ｔ２までの時間が放電時間Ｔ１であり、時刻ｔ１から時刻ｔ３までの時間が測定時間Ｔ２である。
被診断蓄電池２０の放電能力低下の要因としては、起電力そのものの低下と内部抵抗の増大とがある。両方とも放電時の端子電圧の低下をもたらすため、放電時の端子電圧の変化を監視することで被診断蓄電池２０の放電能力が低下しているか否かを判断することができる。このように、短時間で放電能力低下を診断することができる。
【００３２】
また、時刻ｔ２で放電を終了させた後の端子電圧の変化から、起電力の状況と内部抵抗の状況とを分離して把握することができる。図４に示すように、被診断蓄電池２０の端子電圧は、放電が終了すると急激にある値まで（ここでは、電圧ＶａからＶｂまで）上昇する。この急激な電圧上昇分（Ｖｂ−Ｖａ）を放電電流Ｉａで除すれば、近似的に内部抵抗Ｒｉの値が得られる。
Ｒｉ＝（Ｖｂ−Ｖａ）／Ｉａ  ………（１）
このように、放電電流Ｉａと、放電終了直前に測定した蓄電池端子電圧Ｖａと、放電終了直後に測定した蓄電池端子電圧Ｖｂとをもとに、内部抵抗Ｒｉの状況を把握することができる。さらに、放電終了直後に瞬時に復帰した電圧値Ｖｂは、その時点での被診断蓄電池２０の起電力にほぼ等しい。したがって、当該電圧値Ｖｂを検出することで、起電力の状況を把握することができる。
【００３３】
このように、放電を終了した後も引き続き端子電圧を測定することで、起電力の状況と内部抵抗の状況とを分離して把握することが可能となり、より詳細に被診断蓄電池２０を診断することができる。
以上のように、本実施形態では、操作者が蓄電池診断装置１０を被診断蓄電池２０に接続すると、主制御部１６は電流制御部１１を制御し、短時間、被診断蓄電池２０から設定した診断電流値Ｉａを放電させる。そして、主制御部１６は、放電時間経過とともに低下する被診断蓄電池２０の端子電圧を測定する。
設定された放電時間Ｔ１が経過すると、主制御部１６は電流制御部１１の導通を終了させて被診断蓄電池２０の放電を終了する。このとき、主制御部１６は、放電を終了した後も端子電圧の測定を継続する。そして、主制御部１６は、放電終了後の時間経過とともに回復・上昇する被診断蓄電池２０の端子電圧を測定する。その後、放電を開始した時刻から測定時間Ｔ２が経過すると、主制御部１６は端子電圧の測定を終了する。
【００３４】
このように、主制御部１６は、放電時の端子電圧の変化と、放電終了後の回復時における端子電圧の変化とを測定し、解析することで、被診断蓄電池２０の劣化を診断する。そのため、短時間で被診断蓄電池２０の劣化を診断することができる。また、放電時の端子電圧の変化だけでなく、放電終了直後の端子電圧の変化も監視するので、被診断蓄電池２０が起電力低下によって劣化して容量低下しているのか、内部抵抗増加によって容量低下しているのかを判別することができる。したがって、被診断蓄電池２０の劣化を精度良く診断することができる。
また、蓄電池診断装置１０は、電流制御部１１に直列に逆阻止ダイオードでなる整流部１３を挿入した構成を有する。そのため、仮に蓄電池診断装置１０を逆接続してしまった場合、即ち接続端子１０ａ及び１０ｃを負極端子２２に接続し、接続端子１０ｂ及び１０ｄを正極端子２１に接続してしまった場合であっても、電流制御部１１を構成するＭＯＳＦＥＴが持つ寄生ダイオードを通って制御できない異常な電流が流れることを防止することができる。その結果、当該電流制御部１１の故障を防止することができる。
【００３５】
ところで、診断装置を逆接続したときに電流制御部に異常電流が流れないようにするための手段としては、例えば、回路中に機械的接点を有する電磁接触器（断路器等）を挿入し、正規な接続であることを検出した後に、断路器等をオンさせた上で計測を実行させる方法が考えられる。しかしながら、このように機械的な接点を持つ断路器を使用する診断装置においては、多数回使用することでの接点の信頼性低下、及び断路器を駆動する電力が必要となるなどの問題を有している。
これに対して、本実施形態では、半導体素子である逆阻止ダイオードを用いて逆接続時における異常電流の発生を防止する構成としているため、回路中に機械的接点を有する断路器等を使用する場合と比較して、駆動電力の削減と装置の小型化とを実現することができる。さらに、機械的な接点を用いないため、磨耗部分がなく、接点の信頼性を向上することができる。
【００３６】
また、蓄電池診断装置１０は、整流部１３と直列に、当該整流部１３を構成する逆阻止ダイオードでの順方向降下電圧分を補償する電圧補償用蓄電池１４を備える。そのため、電流制御部１１に印加される電圧は、整流部１３の逆阻止ダイオードの順方向降下電圧分である０．６Ｖ〜１．５Ｖ程度が低下しても、電圧補償用蓄電池１４の充電電圧分である２Ｖ程度が補償された値となる。
仮に電圧補償用蓄電池１４を設けていないと、例えば、被診断蓄電池２０の端子電圧が２Ｖ以下といった低い場合には、電流制御部１１で電流を制御するのに十分な電圧を確保することができず、被診断蓄電池２０の診断が行えない。
【００３７】
これに対して、本実施形態では、整流部１３と直列に、当該整流部１３で発生する順方向降下電圧分を補償する電圧補償用蓄電池１４を備えるので、電流制御部１１で電流を制御するのに十分な電圧を確保することができる。
したがって、例えば、被診断蓄電池２０の端子電圧が２Ｖ以下といった低い場合であっても、電流制御部１１に制御に十分な電圧を印加することができ、放電電流を設定した診断電流値Ｉａまで流すことができる。そのため、被診断蓄電池２０を高精度に診断することができる。
このように、放電電流が流れた際の電圧降下の影響を受けずに、被診断蓄電池２０の診断を行うことができる。
【００３８】
（第２の実施形態）
次に、本発明の第２の実施形態について説明する。
この第２の実施形態は、蓄電池診断装置１０を逆接続した場合でも被診断蓄電池２０を診断できる構成としたものである。
図５は、第２の実施形態における蓄電池診断装置１０の構成を示すブロック図である。
本実施形態の蓄電池診断装置１０は、上述した図１の蓄電池診断装置１０における整流部１３に代えて、整流部１７を備える。この図５において、図１の蓄電池診断装置１０と同様の構成を有する部分には図１と同一符号を付し、以下、構成の異なる部分を中心に説明する。
整流部１７は、図５に示すように、４個のダイオードをブリッジ状に接続した構成を有する。
【００３９】
電流制御部１１、電流検出部１２、整流部１７の直流側端子１７ａ，１７ｂ、及び電圧補償用蓄電池１４は直列に接続されている。より具体的には、整流部１７の直流側端子のうち正極出力端子１７ａは電流検出部１２側に、負極出力端子１７ｂは電圧補償用蓄電池１４の正極端子１４ａに接続されている。また、整流部１７の交流側端子１７ｃ及び１７ｄは、蓄電池診断装置１０の接続端子１０ａ及び１０ｂにそれぞれ接続される。
電圧補償用蓄電池１４の正極端子１４ａは、上述したように整流部１７の負極出力端子１７ｂに接続され、負極端子１４ｂは電流制御部１１側に接続されている。ここで、電圧補償用蓄電池１４は、診断電流が４個のダイオードでブリッジ構成された整流部１７に流れるときに発生する順方向降下電圧と同等かそれ以上の電圧で充電しておくものとする。
整流部１７では、診断電流は２個のダイオードに直列に流れる。そのため、順方向降下電圧は、ダイオード１個あたりの順方向降下電圧の２倍の値となる。上述したように、ダイオードで発生する順方向降下電圧は、シリコン系ダイオードで１．５Ｖ程度、ショットキーバリア系ダイオードで０．６Ｖ程度であるため、電圧補償用蓄電池１４の充電電圧は３Ｖ以上とする。ここでは、例えば４Ｖ程度とする。
【００４０】
図６は、主制御部１６で実行する診断処理手順を示すフローチャートである。主制御部１６は、蓄電池診断装置１０の電源が投入されることで当該診断処理を開始する。
この図６に示す診断処理は、上述した図３の診断処理においてステップＳ４〜Ｓ６の処理を削除したことを除いては、図３の診断処理と同様である。
すなわち、主制御部１６は、前記ステップＳ３で蓄電池診断装置１０が被診断蓄電池２０に接続されたと判断すると、そのまま前記ステップＳ７に移行し、被診断蓄電池２０の診断を開始する準備が完了したと判断する。このように、本実施形態では、蓄電池診断装置１０が被診断蓄電池２０に接続された後、蓄電池診断装置１０の端子接続が正常であるか否かを判断する処理を行う必要がない。
以上のように、本実施形態では、蓄電池診断装置１０は、ブリッジダイオードからなる整流部１７を備える。そのため、被診断蓄電池２０に蓄電池診断装置１０を接続した際の極性にかかわらず、電流制御部１１には一定方向の電圧を印加することができる。したがって、蓄電池診断装置１０を逆接続したときに電流制御部１１に異常な電流が流れることを確実に防止することができる。
【００４１】
また、蓄電池診断装置１０は、整流部１７を構成する４個のダイオードのうち、診断電流が流れる２個のダイオードで発生する順方向降下電圧分を補償する電圧補償用蓄電池１４を備える。そのため、電流制御部１１に印加される電圧は、整流部１７の２個のダイオードの順方向降下電圧分である１．２Ｖ〜３．０Ｖ程度が低下しても、電圧補償用蓄電池１４の充電電圧分である４Ｖ程度が補償された値となり、結果的に電流制御部１１で電流を制御するのに十分な電圧を確保することができる。
したがって、例えば、被診断蓄電池２０の端子電圧が低い場合であっても、電流制御部１１を適切に制御することができ、放電電流を設定した診断電流値Ｉａまで流すことができる。そのため、被診断蓄電池２０を高精度に診断することができる。
【００４２】
また、ブリッジダイオードからなる整流部１７を備えることで、診断電流が常に一定方向にしか流れないようにすることができるため、電流制御部１１は、例えば図２に示すように、ＭＯＳＦＥＴ１個で構成することが可能となる。つまり、蓄電池診断装置１０を逆接続した場合にも診断可能とするために、電流制御部を２個のＭＯＳＦＥＴを逆直列に接続した構成とする必要がない。そのため、本実施形態では、電流制御部を構成する半導体素子の数を削減することができ、その分電流制御部の駆動回路を簡略化し、装置を小型化することができる。
【００４３】
（変形例）
なお、第１の実施形態において、電圧補償用蓄電池１４は、正極端子１４ａを整流部１３側に、負極端子１４ｂを接続端子１０ａ側に接続されている場合について説明したが、電圧補償用蓄電池１４は上記閉回路Ａに直列に接続されていればよく、例えば、図７に示すように正極端子１４ａを接続端子１０ｂ側に、負極端子１４ｂを電流制御部１１側に接続するなど、接続位置はいずれでもよい。なお、電圧補償部の位置によって電流制御部１１と主制御部１６との基準電位が異なる場合は、測定の精度を高めるために対策を講じておくことが好ましい。例えば、図７の例の場合では、電圧検出部１５などで被診断蓄電池２０の負極端子２２と電圧補償用蓄電池１４の負極端子１４ｂの端子間電圧を検出して電圧補償用蓄電池１４による電圧の影響を補正する、あるいは、電流制御部１１と主制御部１６の基準電位を分離するようフォトカプラなどで絶縁する、などが考えられる。
【００４４】
同様に、第２の実施形態において、電圧補償用蓄電池１４の正極端子１４ａは整流部１７の負極出力端子１７ｂに接続され、電圧補償用蓄電池１４の負極端子１４ｂは電流制御部１１側に接続されている場合について説明したが、電圧補償部が接続される位置はこれに限定されない。
図１、図５、図７において、被診断蓄電池２０は他の蓄電池２０−１および２０−２と接続されている例を図示しているが、例えば図８に示すように被診断蓄電池２０が単独で存在する場合も当然に測定は可能である。
【００４５】
なお、上記各実施形態においては、整流部を構成するダイオードに診断電流が流れたときの順方向降下電圧分を補償する電圧補償部として、電圧補償用蓄電池１４を用いる場合について説明した。しかしながら、本願における電圧補償部は、順方向降下電圧分を補償可能な手段であれば蓄電池に限定されるものではなく、例えばウルトラキャパシタやスーパーキャパシタと呼ばれる電気二重層コンデンサや、蓄電池と電気二重層コンデンサとの並列回路、充電回路等を用いることもできる。
また、電圧補償用蓄電池１４で表される電圧補償部は、電圧補償部の機能を備えている構成が電気的に接続されている状態であればよく、蓄電池診断装置１０に内蔵され一体的に構成された外観である必要はない。例えば、電圧補償部を外部に分離し導線で回路を接続する形態や、変圧器や電磁誘導コイルなどによって電気的に接続されているが物理的には被接触である構成箇所から補償する電圧値を設定したり、電力を供給できるように構成してもよい。このように構成することによって、電圧補償部の小型化が図りにくい場合であっても、電圧補償部を分離して扱えるため、測定器の搬入、搬出が容易になるだけでなく、被診断蓄電池２０の容量にあわせて電圧補償用蓄電池１４の容量の規模の変更が容易となり汎用性が高くなる。
【００４６】
また、上記各実施形態においては、電圧補償部が補償する電圧は、整流部を構成するダイオードに診断電流が流れたときの順方向降下電圧分を少なくとも補償できるように、順方向降下電圧と同等かそれ以上の電圧値を設定した例で説明した。しかしより好ましくは、放電時において、被診断蓄電池２０の端子間電圧と電圧補償部１４が補償する電圧ＶＢｔの和から、蓄電池診断装置の回路抵抗による電圧降下分や蓄電池診断装置と被診断蓄電池間の接続線などによる電圧降下分を減じた値が、電流制御部１１の動作を可能とする最低電圧Ｖ１１ｍｉｎと同じかそれ以上になるように電圧を補償する電圧補償部を備える蓄電池診断測定装置とする。
【００４７】
図８を用いてより具体的に説明する。なおこの図８では、図１の蓄電池診断装置１０と同様の構成を有する部分には図１と同一符号を付している。
蓄電池診断装置１０は、電流制御部１１、電流検出部１２、整流部１３、電圧補償用蓄電池１４、電圧検出部１５、主制御部１６を備える。
蓄電池診断装置１０は、接続端子１０ａを被診断蓄電池２０の正極端子２１にプローブ部３１によって接続し、接続端子１０ｂを被診断蓄電池２０の負極端子２２にプローブ部３２によって接続することで閉回路Ａを形成する。電流制御部１１、電流検出部１２、整流部１３及び電圧補償用蓄電池１４は、当該閉回路Ａに直列に接続される。
また、接続端子１０ｃを被診断蓄電池２０の正極端子２１に接続し、接続端子１０ｄを被診断蓄電池２０の負極端子２２に接続することで、電圧検出部１５は、閉回路Ａに並列に接続される。
【００４８】
ここで、
被診断蓄電池２０の端子電圧をＶ２０、
電圧補償部に相当する電圧補償用蓄電池１４で補償する電圧（正極端子１４ａと負極端子１４ｂの端子間電圧）をＶＢｔ、
診断電流値Ｉａを放電させたときの蓄電池診断装置１０の接続端子１０ａと被診断蓄電池２０の正極端子２１とを接続するプローブ部３１の電圧降下分をＶｐ、
診断電流値Ｉａを放電させたときの蓄電池診断装置１０の接続端子１０ｂと被診断蓄電池２０の負極端子２２とを接続するプローブ部３２の電圧降下分をＶｎ、
診断電流値Ｉａを放電させたときの蓄電池診断用測定装置の回路中に存在する電気抵抗による電圧降下分として、蓄電池診断装置１０の接続端子１０ａから電圧補償用蓄電池１４の負極端子１４ｂの端子間、電圧補償用蓄電池１４の正極端子１４ａから電流制御部１１の端子１１ａの端子間、および電流制御部１１の端子１１ｂから蓄電池診断装置１０の接続端子１０ｂの端子間の電圧降下分の総和をＶａｌｌ、
診断電流値Ｉａを放電させたときの電流制御部１１の端子１１ａと１１ｂの端子間電圧をＶ１１、
としたとき、
閉回路Ａの電圧は（１）式で示される（キルヒホッフの第二法則）。
Ｖ２０−Ｖｐ＋ＶＢｔ−Ｖａｌｌ−Ｖ１１−Ｖｎ＝０  ・・・（１）
【００４９】
（１）式を変形すると、電流制御部１１の端子間電圧Ｖ１１は（２）式で示される。
Ｖ１１＝Ｖ２０＋ＶＢｔ−Ｖａｌｌ−Ｖｐ−Ｖｎ  ・・・（２）
ここで、電流制御部１１が動作するために必要な最低電圧をＶ１１ｍｉｎとすると、
Ｖ１１ｍｉｎ≦Ｖ２０＋ＶＢｔ−Ｖａｌｌ−Ｖｐ−Ｖｎ  ・・・（３）
となるように、電圧補償部で補償する電圧ＶＢｔを設定すれば、電流制御部１１で被診断蓄電池２０から放電される電流の制御が可能となる。
【００５０】
また診断時において、被診断蓄電池２０の端子電圧Ｖ２０は図４に示したように低下する。診断を完了させるためには、被診断蓄電池の端子電圧Ｖ２０が放電終了直前の被診断蓄電池の端子電圧Ｖａとなった場合においても、電流制御部１１の端子間電圧Ｖ１１が電流制御部１１が動作するために必要な最低電圧Ｖ１１ｍｉｎと同じかそれ以上となるように電圧補償部で補償する電圧ＶＢｔを設定する必要がある。
すなわち、診断電流値Ｉａを放電させたときに
Ｖ１１ｍｉｎ≦Ｖａ＋ＶＢｔ−Ｖａｌｌ−Ｖｐ−Ｖｎ  ・・・（４）
を満たすような電圧ＶＢｔを補償する電圧補償部を備えればよい。
なお、（４）式を変形すると、次の（５）式が得られる。
Ｖａ＋ＶＢｔ≧Ｖａｌｌ＋Ｖｐ＋Ｖｎ＋Ｖ１１ｍｉｎ  ・・・（５）
すなわち、Ｖ１１（Ｖ１１ｍｉｎ）とＶ２０（Ｖａ）が放電開始から放電終了直前までの間にそれぞれ取り得る値の大小によっては、補償電圧ＶＢｔは、Ｖａｌｌにおける整流部を構成するダイオードの順方向降下電圧より若干低い値であっても（５）を充足することが理解できる。本明細書及び特許請求の範囲において、「同等」とは、このように補償電圧ＶＢｔが取り得る、ダイオードの順方向降下電圧より若干低い値を含むものとする。
【００５１】
（４）式に示す条件を満足する電圧ＶＢｔを補償する電圧補償部を備えれば、被診断蓄電池２０の端子電圧Ｖ２０が低い場合であっても、電流制御部１１を適切に制御することができ、放電電流を設定した診断電流値Ｉａまで流すことができる。そのため、被診断蓄電池２０を高精度に診断することができる。
また、電圧補償部によって、放電電流Ｉａが流れた際のダイオードの順方向降下電圧分だけでなく蓄電池診断用測定装置の回路中に存在する電気抵抗による電圧降下分も補償できるので、例えば図８における蓄電池診断装置１０の接続端子１０ａから電圧補償用蓄電池１４の負極端子１４ｂの端子間の接続線や電流制御部１１の端子１１ｂから蓄電池診断装置１０の接続端子１０ｂの端子間の接続線などを細くするなどにより、電気抵抗が増大し、それによって電圧降下が多く発生しても、電流制御部１１に対して制御に必要な電圧を印加できる。従って、診断に必要な電流を適切に流すことができ、高精度な測定が可能となるとともに、装置の小型化、軽量化が実現できる。
【００５２】
同様に、電圧補償部によって、蓄電池診断用測定装置１４と被診断蓄電池２０とを接続するプローブ部３１、３２の電圧降下分であるＶｐ、Ｖｎも補償できるので、例えば、当該プローブ部分の導体線の直径を細くしたり、長くすることによって、プローブ部の抵抗値が増大し、それによって電圧降下が多く発生しても、電流制御部１１に対して制御に必要な電圧を印加することができる。これにより、診断に必要な電流を適切に流すことができ、高精度な測定が可能となるだけではなく、診断時に作業者が操作するプローブの小型化、軽量化が可能となる。
【００５３】
電圧補償部によるプローブ部の電圧降下分の補償がなかった場合は、プローブ部の電圧降下を少なくするために、太く重い導体線を使用し、かつ、できるかぎり短い長さでプローブ部を構成する必要があった。そのため、測定する作業員は蓄電池診断用測定装置を抱えた形で、太く硬くかつ重いために操作性の悪いプローブ部を動かして測定しなければならなかった。電圧補償部によるプローブ部の電圧降下分の電圧の補償があれば、プローブ部の長尺化も可能となるため、蓄電池診断用測定装置を床においたり、被診断蓄電池と離れた場所に設置できるようになる。また、測定する作業員は、蓄電池診断用測定装置を抱えた形で測定する必要がなくなる。測定場所は狭い場所が多いが、蓄電池診断用測定装置全体を測定箇所に運びいれる必要はなくなり、蓄電池診断用測定装置と被診断蓄電池とを接続するプローブ部のみを作業場所に運びいれることによって測定ができるようになるため、作業性が飛躍的に向上するとともに、作業者の肉体的な負担も軽減される。
【００５４】
なお、図８を用いて説明をしたが、蓄電診断装置１０が図５に示すような４個のダイオードをブリッジ状に接続した構成を有する整流部１７を備える場合においても考え方は同様である。すなわち、診断電流値Ｉａを放電させたときの蓄電池診断用測定装置の回路中に存在する電気抵抗による電圧降下分として、蓄電池診断装置１０の接続端子１０ａから電流制御部１１の電流検出部１２側の端子までの端子間、電流制御部１１の電圧補償用蓄電池１４側の端子から電圧補償用蓄電池１４の負極端子１４ｂの端子間、電圧補償用蓄電池１４の正極端子１４ａから蓄電池診断装置１０の接続端子１０ｂの端子間の電圧降下分の総和をＶａｌｌとして、その他は上述と同様に、被診断蓄電池２０の端子電圧をＶ２０、電圧補償部に相当する電圧補償用蓄電池１４で補償する電圧（正極端子１４ａと負極端子１４ｂの端子間電圧）をＶＢｔ、診断電流値Ｉａを放電させたときの蓄電池診断装置１０の接続端子１０ａと被診断蓄電池２０の正極端子２１とを接続するプローブ部の電圧降下分をＶｐ、診断電流値Ｉａを放電させたときの蓄電池診断装置１０の接続端子１０ｂと被診断蓄電池２０の負極端子２２とを接続するプローブ部の電圧降下分をＶｎ、診断電流値Ｉａを放電させたときの電流制御部１１の端子間電圧をＶ１１とすればよい。なお、電圧補償部は電圧ＶＢｔを補償可能な手段であれば蓄電池に限定されるものではない。
【００５５】
また、上記各実施形態においては、放電時および放電終了後の回復時の両方で端子電圧の変化を監視する場合について説明したが、少なくとも放電時に端子電圧の変化を監視すれば、被診断蓄電池２０の劣化を診断することができる。但し、上記各実施形態のように、放電時と放電終了後の回復時との両方で端子電圧の変化を監視した方が精度良く被診断蓄電池２０の劣化を診断することができるため好ましい。
さらに、上記各実施形態においては、主制御部１６で実行する処理に被診断蓄電池２０の劣化を診断する処理（ステップＳ１４）を含める場合について説明したが、主制御部１６では被診断蓄電池２０の診断に必要な情報（電圧検出値、電流検出値）の測定までを行い、別の装置等で被診断蓄電池２０を診断するようにしてもよい。この場合、蓄電池診断装置１０は、被診断蓄電池２０の診断に必要な情報を適切に測定することができる蓄電池診断用測定装置となる。
【符号の説明】
【００５６】
１０…蓄電池診断装置（蓄電池診断用測定装置）、１１…電流制御部、１２…電流検出部、１３…整流部、１４…電圧補償用蓄電池、１５…電圧検出部、１６…主制御部、１７…整流部、１７ａ，１７ｂ…直流側端子、１７ｃ，１７ｄ…交流側端子、２０…被診断蓄電池、２１…正極端子、２２…負極端子、２０−１、２０−２…被診断蓄電池と接続されている蓄電池、３１、３２…プローブ部
【図１】
2017009422.tif 000003
【図２】
2017009422.tif 000004
【図３】
2017009422.tif 000005
【図４】
2017009422.tif 000006
【図５】
2017009422.tif 000007
【図６】
2017009422.tif 000008
【図７】
2017009422.tif 000009
【図８】
2017009422.tif 000010